(57)【要約】【課題】例えば撮影者が撮影装置から離れているときに、撮影者以外の第三者によって撮影装置に対して撮影者の意図しない操作が行われると、撮影者の意図する撮影を適時に行うことができない場合があり、撮影者がシャッタチャンスを逃す虞がある。【解決手段】情報処理端末と無線通信可能な撮影装置を、操作入力を受け付ける操作手段と、無線接続された情報処理端末との距離を計算する距離計算手段と、計算された距離に応じて操作手段に対する操作入力の許否を制御する操作制御手段とを備える構成とする。【選択図】図６
2017046099.tif 000002
【特許請求の範囲】
【請求項１】
情報処理端末と無線通信可能な撮影装置において、
操作入力を受け付ける操作手段と、
無線接続された情報処理端末との距離を計算する距離計算手段と、
計算された距離に応じて前記操作手段に対する操作入力の許否を制御する操作制御手段と、
を備える、
撮影装置。
【請求項２】
前記距離計算手段は、
前記情報処理端末との無線接続中、所定の時間間隔で繰り返し該情報処理端末との距離を計算し、
前記操作制御手段は、
前記情報処理端末との距離が計算される毎に、該計算された距離に応じて前記操作手段に対する操作入力の許否を制御する、
請求項１に記載の撮影装置。
【請求項３】
前記操作制御手段は、
前記情報処理端末との距離が所定の距離を超える場合に、前記操作手段に対する操作入力を無効にする、
請求項１又は請求項２に記載の撮影装置。
【請求項４】
前記距離計算手段は、
前記情報処理端末との通信強度が所定値以下になると、該情報処理端末との距離が所定の距離を超えると推定し、
前記操作制御手段は、
前記操作手段に対する操作入力を無効にする、
請求項３に記載の撮影装置。
【請求項５】
前記距離計算手段は、
前記情報処理端末より入力される情報に基づいて該情報処理端末との距離を計算する、
請求項１から請求項４の何れか一項に記載の撮影装置。
【請求項６】
請求項１から請求項５の何れか一項に記載の撮影装置と、
無線通信により前記撮影装置をリモート操作することが可能な情報処理端末と、
を備える、
撮影システム。
【請求項７】
前記情報処理端末は、
前記情報処理端末の位置情報を取得する手段と、
取得された位置情報を前記撮影装置に送信する手段と、
を備え、
前記撮影装置は、
前記撮影装置の位置情報を取得する手段
を備え、
前記距離計算手段は、
取得された前記撮影装置の位置情報及び前記情報処理端末より受信した位置情報に基づいて該情報処理端末との距離を計算する、
請求項６に記載の撮影システム。
【発明の詳細な説明】
【技術分野】
【０００１】
本発明は、撮影装置及び撮影システムに関する。
【背景技術】
【０００２】
近年、無線通信機能が搭載されたデジタルカメラにスマートフォン等の携帯型情報処理端末を接続することにより、携帯型情報処理端末を用いてデジタルカメラをリモート操作することが可能な撮影システムが知られており実用化されている。例えば特許文献１に、この種の撮影システムの具体的構成が記載されている。
【０００３】
特許文献１に記載の撮影システムでは、スマートフォンとデジタルカメラとがＷｉ−Ｆｉ接続されると、デジタルカメラで撮影されたシーンを表すスルー画がスマートフォンにリアルタイムで転送される。ユーザは、例えば、スマートフォン上のＧＵＩ（Graphical User Interface）に対してズーム操作を行うことにより、デジタルカメラのズーム倍率を変更することができ、また、スマートフォン上のＧＵＩに対してレリーズ指示操作を行うことにより、デジタルカメラによる撮影（静止画の取り込みや動画像の記録の開始）を行うことができる。
【先行技術文献】
【特許文献】
【０００４】
【特許文献１】特開２０１４−２２０７１５号公報
【発明の概要】
【発明が解決しようとする課題】
【０００５】
特許文献１に記載の撮影システムでは、例えばスマートフォンを保持する撮影者がデジタルカメラから離れているときに、撮影者以外の第三者によってデジタルカメラに対して撮影者の意図しない操作が行われる可能性がある。一例として、撮影条件の変更操作が第三者によって行われると、そのままでは撮影者の意図する撮影を適時に行うことができないため、撮影者がシャッタチャンスを逃す虞がある。
【０００６】
本発明は上記の事情に鑑みてなされたものであり、その目的とするところは、第三者による撮影装置の操作を無効にするのに好適な撮影装置及び撮影システムを提供することである。
【課題を解決するための手段】
【０００７】
本発明の一実施形態に係る撮影装置は、情報処理端末と無線通信可能なものであり、操作入力を受け付ける操作手段と、無線接続された情報処理端末との距離を計算する距離計算手段と、計算された距離に応じて操作手段に対する操作入力の許否を制御する操作制御手段とを備える。
【０００８】
また、本発明の一実施形態において、距離計算手段は、情報処理端末との無線接続中、所定の時間間隔で繰り返し該情報処理端末との距離を計算する構成としてもよい。また、操作制御手段は、情報処理端末との距離が計算される毎に、該計算された距離に応じて操作手段に対する操作入力の許否を制御する構成としてもよい。
【０００９】
また、本発明の一実施形態において、操作制御手段は、情報処理端末との距離が所定の距離を超える場合に、操作手段に対する操作入力を無効にする構成としてもよい。
【００１０】
また、本発明の一実施形態において、距離計算手段は、情報処理端末との通信強度が所定値以下になると、該情報処理端末との距離が所定の距離を超えると推定する構成としてもよい。操作制御手段は、該情報処理端末との距離が所定の距離を超えると推定されると、操作手段に対する操作入力を無効にする。
【００１１】
また、本発明の一実施形態において、距離計算手段は、情報処理端末より入力される情報に基づいて該情報処理端末との距離を計算する構成としてもよい。
【００１２】
また、本発明の一実施形態に係る撮影システムは、上記の撮影装置と、無線通信により撮影装置をリモート操作することが可能な情報処理端末とを備える。
【００１３】
また、本発明の一実施形態において、情報処理端末は、情報処理端末の位置情報を取得する手段と、取得された位置情報を撮影装置に送信する手段とを備える構成としてもよい。また、撮影装置は、撮影装置の位置情報を取得する手段を備える構成としてもよい。この場合、距離計算手段は、取得された撮影装置の位置情報及び情報処理端末より受信した位置情報に基づいて該情報処理端末との距離を計算する。
【発明の効果】
【００１４】
本発明の一実施形態によれば、第三者による撮影装置の操作を無効にするのに好適な撮影装置及び撮影システムが提供される。
【図面の簡単な説明】
【００１５】
【図１】本発明の一実施形態に係るリモート操作システムの構成を示すブロック図である。
【図２】本発明の一実施形態に係るリモート操作システムに備えられる撮影装置の構成を示すブロック図である。
【図３】本発明の一実施形態に係るリモート操作システムに備えられる携帯型情報処理端末の構成を示すブロック図である。
【図４】本発明の一実施形態に係るリモート操作システムに備えられるＷｅｂサーバの構成を示すブロック図である。
【図５】本発明の一実施形態において実行されるＷｅｂアプリケーションと撮影装置との接続シーケンスを示す図である。
【図６】本発明の一実施形態において実行される操作入力許否制御のフローチャートを示す図である。
【００１６】
以下、本発明の一実施形態に係るリモート操作システム（撮影システム）について図面を参照しながら説明する。
【００１７】
［リモート操作システム１の構成］
図１は、本発明の一実施形態に係るリモート操作システム１の構成を示すブロック図である。図１に示されるように、リモート操作システム１は、撮影装置１０、携帯型情報処理端末２０及びＷｅｂサーバ３０を備えている。本実施形態において、撮影装置１０はコンパクトデジタルカメラであり、携帯型情報処理端末２０はスマートフォンである。別の実施形態では、撮影装置１０は、デジタル一眼レフカメラ、ミラーレス一眼カメラ、ビデオカメラ、カムコーダなど、別の形態の撮影装置であってもよい。また、携帯型情報処理端末２０は、ノートＰＣ、タブレットＰＣ、携帯ゲーム機など、別の形態の携帯型情報処理端末であってもよい。
【００１８】
［撮影装置１０の構成］
図２は、本発明の一実施形態に係る撮影装置１０の構成を示すブロック図である。図２に示されるように、撮影装置１０は、システムコントローラ１００、操作部１０２、駆動回路１０４、撮影レンズ１０６、絞り１０８、シャッタ１１０、固体撮像素子１１２、信号処理回路１１４、画像処理エンジン１１６、バッファメモリ１１８、ＬＣＤ（Liquid Crystal Display）１２０、ＲＯＭ（Read Only Memory）１２２、不揮発性メモリ１２４、カード用インタフェース１２６及びＷｉ−Ｆｉインタフェース１２８を備えている。なお、撮影レンズ１０６は複数枚構成のズームレンズであるが、図１においては便宜上一枚のレンズとして示す。
【００１９】
操作部１０２には、電源ボタンやレリーズボタン、撮影モードボタンなど、ユーザが撮影装置１０を操作するために必要な各種ボタンやダイヤルが含まれる。ユーザにより電源ボタンが操作されると、図示省略されたバッテリから撮影装置１０の各種回路に電源ラインを通じて電源供給が行われる。
【００２０】
システムコントローラ１００は、ＣＰＵ（Central Processing Unit）及びＤＳＰ（Digital Signal Processor）を含む。システムコントローラ１００は電源供給後、ＲＯＭ１２２にアクセスして制御プログラムを読み出してワークエリア（不図示）にロードし、ロードされた制御プログラムを実行することにより、撮影装置１０全体の制御を行う。
【００２１】
レリーズボタンが操作されると、システムコントローラ１００は、例えば、固体撮像素子１１２により撮像された画像に基づいて計算された測光値や、撮影装置１０に内蔵された露出計（不図示）で測定された測光値に基づき適正露出が得られるように、駆動回路１０４を介して絞り１０８及びシャッタ１１０を駆動制御する。より詳細には、絞り１０８及びシャッタ１１０の駆動制御は、プログラムＡＥ（Automatic Exposure）、シャッタ優先ＡＥ、絞り優先ＡＥなど、撮影モードボタンにより指定されるＡＥ機能に基づいて行われる。また、システムコントローラ１００はＡＥ制御と併せてＡＦ（Autofocus）制御を行う。ＡＦ制御には、アクティブ方式、位相差検出方式、コントラスト検出方式等が適用される。また、ＡＦモードには、中央一点の測距エリアを用いた中央一点測距モード、複数の測距エリアを用いた多点測距モード等がある。システムコントローラ１００は、ＡＦ結果に基づいて駆動回路１０４を介して撮影レンズ１０６を駆動制御し、撮影レンズ１０６の焦点を調整する。なお、この種のＡＥ及びＡＦの構成及び制御については周知であるため、ここでの詳細な説明は省略する。
【００２２】
被写体からの光束は、撮影レンズ１０６、絞り１０８、シャッタ１１０を通過して固体撮像素子１１２の受光面にて受光される。固体撮像素子１１２は、ベイヤ型画素配置を有する単板式カラーＣＣＤ（Charge Coupled Device）イメージセンサである。固体撮像素子１１２は、受光面上の各画素で結像した光学像を光量に応じた電荷として蓄積して、Ｒ（Red）、Ｇ（Green）、Ｂ（Blue）の画像信号を生成して出力する。なお、固体撮像素子１１２は、ＣＣＤイメージセンサに限らず、ＣＭＯＳ（Complementary Metal Oxide Semiconductor）イメージセンサやその他の種類の撮像装置に置き換えられてもよい。固体撮像素子１１２はまた、補色系フィルタを搭載したものであってもよい。
【００２３】
信号処理回路１１４は、固体撮像素子１１２より入力される画像信号に対してクランプ、デモザイク等の所定の信号処理を施して、画像処理エンジン１１６に出力する。画像処理エンジン１１６は、信号処理回路１１４より入力される画像信号に対してマトリクス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。また、撮影画像データの保存形式は、ＪＰＥＧ形式に限らず、最小限の画像処理（例えば黒レベルの補正等）しか施されないＲＡＷ形式であってもよい。
【００２４】
カード用インタフェース１２６のカードスロットには、メモリカード（不図示）が着脱可能に挿し込まれる。
【００２５】
画像処理エンジン１１６は、カード用インタフェース１２６を介してメモリカードと通信可能である。画像処理エンジン１１６は、生成された撮影画像データをメモリカード又は不揮発性メモリ１２４に保存する。
【００２６】
また、画像処理エンジン１１６は、生成された輝度信号Ｙ、色差信号Ｃｂ、Ｃｒをフレームメモリ（不図示）にフレーム単位でバッファリングする。画像処理エンジン１１６は、バッファリングされた信号を所定のタイミングで各フレームメモリから掃き出して所定のフォーマットのビデオ信号に変換し、ＬＣＤ１２０に出力する。ＬＣＤ１２０は、画像処理エンジン１１６より入力される画像信号を基に液晶を変調制御する。これにより、被写体の撮影画像がＬＣＤ１２０の表示画面に表示される。ユーザは、ＡＥ制御及びＡＦ制御に基づいて適正な露出及びピントで撮影されたリアルタイムのスルー画（ライブビュー）を、ＬＣＤ１２０の表示画面を通じて視認することができる。
【００２７】
画像処理エンジン１１６は、ユーザにより撮影画像の再生操作が行われると、操作により指定された撮影画像データをメモリカード又は不揮発性メモリ１２４より読み出して所定のフォーマットの画像信号に変換し、ＬＣＤ１２０に出力する。ＬＣＤ１２０が画像処理エンジン１１６より入力される画像信号を基に液晶を変調制御することで、被写体の撮影画像がＬＣＤ１２０の表示画面に表示される。
【００２８】
［携帯型情報処理端末２０の構成］
図３は、本発明の一実施形態に係る携帯型情報処理端末２０の構成を示すブロック図である。図３に示されるように、携帯型情報処理端末２０は、ＣＰＵ２００、ＲＡＭ（Random Access Memory）等の主記憶装置２０２、フラッシュメモリ等の補助記憶装置２０４、キャリア通信インタフェース２０６、Ｗｉ−Ｆｉインタフェース２０８及びタッチパネル２１０を備えている。なお、図２及び後述の図３においては、図面を簡略化する便宜上、各ブロックの結線の図示を省略している。
【００２９】
ＣＰＵ２００は、携帯型情報処理端末２０の電源投入後、必要なハードウェアにアクセスする。携帯型情報処理端末２０の電源投入直後、ＣＰＵ２００は、補助記憶装置２０４にアクセスしてＯＳ（Operating System）２０４ａを読み出して、主記憶装置２０２にロードして起動させる。以後、ＣＰＵ２００とＯＳ２０４ａとが協働することにより、携帯型情報処理端末２０による各種処理が実行される。例えば、補助記憶装置２０４には、ブラウザ２０４ｂをはじめとする複数種類のアプリケーションがインストールされている。各種アプリケーションは、ＯＳ２０４ａによるリソース及びプロセスの管理下で動作する。
【００３０】
ブラウザ２０４ｂは、例えばＨＴＭＬ（Hyper Text Markup Language）、ＣＳＳ（Cascading Style Sheets）、JavaScript（登録商標）等及びこれらの関連仕様を解釈可能なＷｅｂブラウザである。ブラウザ２０４ｂは、ＨＴＴＰ（Hypertext Transfer Protocol）に準拠したリクエスト・メッセージを生成し、ユーザ操作等により指定されたＵＲＩ（Uniform Resource Identifier）にアクセスして、Ｗｅｂページ等のコンテンツをダウンロードする。ブラウザ２０４ｂは、ダウンロードされたＨＴＭＬコンテンツ等の解釈、ＤＯＭ（Document Object Model）ツリー、レイアウトツリー等の生成を行う。ブラウザ２０４ｂは、レイアウトが決定されたコンテンツの各要素を主記憶装置２０２内のイメージバッファに逐次レンダリングする。イメージバッファにレンダリングされた内容は、図示省略されたＶＲＡＭ（Video Random Access Memory）に転送される。レンダリング結果がＶＲＡＭに転送されることにより、コンテンツがタッチパネル２１０上に表示される。ユーザは、タッチパネル２１０上に表示されたコンテンツに対してペンタッチやフィンガタッチによる入力や、フリック操作（画面上を指ではらう操作）による画面スクロール、ピンチ操作（二本の指の間を画面上で拡げる又は縮める操作）によるズームイン／ズームアウト等の各種操作を行うことができる。
【００３１】
［Ｗｅｂサーバ３０の構成］
図４は、本発明の一実施形態に係るＷｅｂサーバ３０の構成を示すブロック図である。図４に示されるように、Ｗｅｂサーバ３０は、ＣＰＵ３００、ＲＡＭ等の主記憶装置３０２、ＨＤＤ（Hard Disk Drive）等の補助記憶装置３０４及び通信インタフェース３０６を備えている。補助記憶装置３０４には、ＷｅｂコンテンツとしてＷｅｂアプリケーション３０４ａが保存されている。
【００３２】
Ｗｅｂアプリケーション３０４ａは、撮影装置１０をリモート操作するためのアプリケーションであり、例えばJavaScript（登録商標）等のプログラムが埋め込まれたＨＴＭＬファイルである。
【００３３】
［Ｗｅｂアプリケーション３０４ａの取得］
携帯型情報処理端末２０は、キャリア通信インタフェース２０６を介して３Ｇ（3rd Generation）回線やＬＴＥ（Long Term Evolution）回線等のキャリア回線に接続し、Ｗｅｂサーバ３０にアクセスすることができる。ブラウザ２０４ｂは、Ｗｅｂサーバ３０のＷｅｂアプリケーション３０４ａのＵＲＬ（Uniform Resource Locator）が指定されると、ＧＥＴコマンドによってＷｅｂアプリケーション３０４ａをリクエストする。
【００３４】
Ｗｅｂサーバ３０は、ブラウザ２０４ｂより受け取ったリクエストに従い、補助記憶装置３０４に保存されているＷｅｂアプリケーション３０４ａをブラウザ２０４ｂに送信する。ブラウザ２０４ｂは、Ｗｅｂサーバ３０よりダウンロードされたＷｅｂアプリケーション３０４ａをメモリ（例えば不揮発性メモリ１２４）に保存し、保存されたＷｅｂアプリケーション３０４ａに含まれるリソースを解釈等する。これにより、撮影装置２０をリモート操作するための画面がタッチパネル２１０上に表示される。
【００３５】
ユーザは、タッチパネル２１０上に表示される画面を通じてＷｉ−Ｆｉ設定操作を行うことができる。具体的には、ユーザは、Ｗｅｂアプリケーション３０４ａ（ブラウザ２０４ｂ）と撮影装置１０とを連携させるため、撮影装置１０をアクセスポイントとして設定することができる。ペアリングに必要な「ＳＳＩＤ（Service Set Identifier）」及び「Ｐａｓｓｗｏｒｄ」が入力され、入力された設定が保存されると、撮影装置１０がアクセスポイントとして登録される。
【００３６】
［Ｗｅｂアプリケーション３０４ａと撮影装置１０との接続］
図５は、Ｗｅｂアプリケーション３０４ａと撮影装置１０との接続シーケンスを示す図である。
【００３７】
［図５のＳ１１（Ｗｅｂアプリケーション３０４ａの取得）］
本処理ステップＳ１１では、Ｗｅｂアプリケーション３０４ａと撮影装置１０とを接続するにあたり、ブラウザ２０４ｂは、Ｗｅｂサーバ３０と通信して、最新のＷｅｂアプリケーション３０４ａをダウンロードする。ブラウザ２０４ｂは、ダウンロードされたＷｅｂアプリケーション３０４ａをメモリ（例えば不揮発性メモリ１２４）に保存し、保存されたＷｅｂアプリケーション３０４ａに含まれるリソースを解釈等する。これにより、撮影装置２０をリモート操作するための画面がタッチパネル２１０上に表示される。
【００３８】
本実施形態では、Ｗｅｂアプリケーション３０４ａを起動するにあたり、Ｗｅｂアプリケーション３０４ａが毎回ダウンロードされる。そのため、ユーザは、常に最新のＷｅｂアプリケーション３０４ａを利用することができる。なお、ブラウザ２０４ｂは、通信エラー等によってＷｅｂサーバ３０にアクセスできない場合には、不揮発性メモリ１２４にキャッシュされたＷｅｂアプリケーション３０４ａを実行してもよい。
【００３９】
［図５のＳ１２（Ｗｅｂアプリケーション３０４ａと撮影装置１０との接続確立）］
本処理ステップＳ１１（Ｗｅｂアプリケーション３０４ａの取得）にてＷｅｂアプリケーション３０４ａがダウンロードされると、キャリア通信インタフェース２０６からＷｉ−Ｆｉインタフェース２０８への切替が自動的に行われる。次いで、Ｗｅｂアプリケーション３０４ａは、Ｗｉ−Ｆｉインタフェース２０８を介して、登録されたアクセスポイント、すなわち、撮影装置１０とのＷｉ−Ｆｉ接続を試行して、撮影装置１０との接続を確立する。以降、ユーザは、タッチパネル２１０上に表示される操作画面を介して撮影装置１０をリモート操作することができる。また、ユーザは、撮影装置１０の操作部１０２を介して撮影装置１０を直接操作することもできる。
【００４０】
［操作入力許否制御］
次に、システムコントローラ１００により実行される操作入力許否制御について説明する。図６に、操作入力許否制御のフローチャートを示す。図６に示される操作入力許否制御は、撮影装置１０の電源がオンされた後、例えば１００ｍｓｅｃの時間間隔で繰り返し実行される。
【００４１】
［図６のＳ２１（操作入力の判定）］
本処理ステップＳ２１では、撮影装置１０の操作部１０２が操作されたか否かが判定される。本処理ステップＳ２１にて操作部１０２が操作されていないと判定された場合（Ｓ２１：ＮＯ）、図６に示される操作入力許否制御が終了する。
【００４２】
［図６のＳ２２（Ｗｉ−Ｆｉ接続の判定）］
本処理ステップＳ２２は、処理ステップＳ２１（操作入力の判定）にて撮影装置１０の操作部１０２が操作されたと判定された場合（Ｓ２１：ＹＥＳ）に実行される。本処理ステップＳ２２では、撮影装置１０とＷｅｂアプリケーション３０４ａ（携帯型情報処理端末２０）とがＷｉ−Ｆｉ接続されているか否かが判定される。
【００４３】
［図６のＳ２３（携帯型情報処理端末２０との距離の計算）］
本処理ステップＳ２３は、処理ステップＳ２２（Ｗｉ−Ｆｉ接続の判定）にて撮影装置１０とＷｅｂアプリケーション３０４ａとがＷｉ−Ｆｉ接続されていると判定された場合（Ｓ２２：ＹＥＳ）に実行される。本処理ステップＳ２３では、撮影装置１０と携帯型情報処理端末２０との距離が計算される。
【００４４】
［図６のＳ２４（距離の判定）］
本処理ステップＳ２４では、処理ステップＳ２３（携帯型情報処理端末２０との距離の計算）にて計算された距離が所定の距離を超えるか否かが判定される。ここでいう所定の距離とは、ユーザ（撮影者）が撮影装置１０の操作部１０２を直接操作することが困難な距離であり、例えば３ｍである。
【００４５】
［図６のＳ２５（操作入力の無効）］
本処理ステップＳ２５は、処理ステップＳ２４（距離の判定）にて撮影装置１０と携帯型情報処理端末２０との距離が所定の距離を超えると判定された場合（Ｓ２４：ＹＥＳ）に実行される。本処理ステップＳ２５では、処理ステップＳ２１（操作入力の判定）にて検出された操作部１０２の操作入力が無効にされる。すなわち、操作部１０２に対する操作入力が受け付けられず、撮影装置１０が該操作入力に応じた動作を行わない。
【００４６】
これにより、例えば撮影者であるユーザが撮影装置１０から離れているときに、ユーザ以外の第三者によって撮影装置１０の操作部１０２に対して撮影条件の変更操作等が行われても、撮影装置１０が該操作入力に応じた動作を行わない。そのため、第三者による撮影装置１０の操作によってユーザが意図する撮影を適時に行うことができずにシャッタチャンスを逃してしまうという問題が避けられる。
【００４７】
［図６のＳ２６（操作入力の受け付け）］
本処理ステップＳ２６は、処理ステップＳ２２（Ｗｉ−Ｆｉ接続の判定）にて撮影装置１０とＷｅｂアプリケーション３０４ａとがＷｉ−Ｆｉ接続されてないと判定された場合（Ｓ２２：ＮＯ）又は処理ステップＳ２４（距離の判定）にて撮影装置１０と携帯型情報処理端末２０との距離が所定の距離以下であると判定された場合（Ｓ２４：ＮＯ）に実行される。
【００４８】
本処理ステップＳ２６では、処理ステップＳ２１（操作入力の判定）にて検出された操作部１０２の操作入力が受け付けられる。これは、撮影装置１０と携帯型情報処理端末２０との距離が近く、該操作入力がユーザによるものと考えられるためである。
【００４９】
このように、システムコントローラ１００は、図６に示される操作入力許否制御を実行することにより、撮影装置１０と携帯型情報処理端末２０との距離に応じて操作部１０２に対する操作入力の許否を制御する。
【００５０】
次に、処理ステップＳ２３（携帯型情報処理端末２０との距離の計算）にて実行される、撮影装置１０と携帯型情報処理端末２０との距離の計算例を複数示す。
【００５１】
・距離計算例１
本例１では、システムコントローラ１００は、携帯型情報処理端末２０との通信強度に基づいて携帯型情報処理端末２０との距離を計算（推定）する。処理ステップＳ２４（距離の判定）において、システムコントローラ１００は、通信強度が所定値以下になると、携帯型情報処理端末２０との距離が所定の距離を超えると推定する。
【００５２】
・距離計算例２
本例２では、システムコントローラ１００は、携帯型情報処理端末２０より情報を取得し、取得された情報に基づいて携帯型情報処理端末２０との距離を計算（推定）する。取得される情報には、例えば、携帯型情報処理端末２０における単位時間当たりの受信データ量やコマンドのリトライ回数が挙げられる。処理ステップＳ２４（距離の判定）において、システムコントローラ１００は、携帯型情報処理端末２０における単位時間当たりの受信データ量が所定値以下になったり、コマンドのリトライ回数が所定数以上になったりすると、携帯型情報処理端末２０との距離が所定の距離を超えると推定する。
【００５３】
・距離計算例３
本例３では、撮影装置１０及び携帯型情報処理端末２０にＧＰＳ（Global Positioning System）レシーバが内蔵されていることが前提となる。本例３では、Ｗｅｂアプリケーション３０４ａは、ＧＰＳレシーバにより取得された携帯型情報処理端末２０の位置情報を撮影装置１０に定期的に送信する。システムコントローラ１００は、Ｗｅｂアプリケーション３０４ａより受信した位置情報と、撮影装置１０に内蔵されているＧＰＳレシーバにより取得された位置情報とを比較することにより、携帯型情報処理端末２０との距離を計算する。
【００５４】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【符号の説明】
【００５５】
１  リモート操作システム
１０  撮影装置
２０  携帯型情報処理
３０  Ｗｅｂサーバ
１００  システムコントローラ
１０２  操作部
１０４  駆動回路
１０６  撮影レンズ
１０８  絞り
１１０  シャッタ
１１２  固体撮像素子
１１４  信号処理回路
１１６  画像処理エンジン
１１８  バッファメモリ
１２０  ＬＣＤ
１２２  ＲＯＭ
１２４  不揮発性メモリ
１２６  カード用インタフェース
１２８  Ｗｉ−Ｆｉインタフェース
２００  ＣＰＵ
２０２  主記憶装置
２０４  補助記憶装置
２０４ａ  ＯＳ
２０４ｂ  ブラウザ
２０６  キャリア通信インタフェース
２０８  Ｗｉ−Ｆｉインタフェース
２１０  タッチパネル
３００  ＣＰＵ
３０２  主記憶装置
３０４  補助記憶装置
３０４ａ  Ｗｅｂアプリケーション
３０６  通信インタフェース
【図１】
2017046099.tif 000003
【図２】
2017046099.tif 000004
【図３】
2017046099.tif 000005
【図４】
2017046099.tif 000006
【図５】
2017046099.tif 000007
【図６】
2017046099.tif 000008